(57)【要約】シリンジアダプタは、ハウジングと、第１の端部および第２の端部を有するカニューレであって、カニューレの第２の端部がハウジング内に位置する、カニューレと、ハウジング内に位置する封止構成であって、嵌合するコネクタから係合が解除される第１の位置と、嵌合コネクタと係合する第２の位置との間をハウジング内で移動可能であり、薄膜を備える、封止構成とを含む。シリンジアダプタは、ロック機構を含み、封止構成は、封止構成が第２の位置にあるとき、かつロック機構がロック位置にあるとき、ロック機構に係合するように構成されたロックインターフェースを含み、またロック機構は、封止構成が第２の位置にあるとき、かつロック機構がロック解除位置にあるとき、ロックインターフェースから係合が解除される。
2020503980.tif 000002
【特許請求の範囲】
【請求項１】
シリンジアダプタであって、
第１の端部および第２の端部を有し、前記第１の端部が第１の容器に固定されるように構成されるハウジングと、
第１の端部および第２の端部を有するカニューレであって、前記カニューレの前記第２の端部は前記ハウジング内に位置する、カニューレと、
前記ハウジング内に位置する封止構成であって、封止構成が嵌合コネクタから係合が解除される第１の位置と、封止構成が嵌合コネクタと係合する第２の位置との間を前記ハウジング内で移動可能であり、薄膜を備える、封止構成と、
ロック解除位置とロック位置の間で移動可能なロック機構と
を備え、
前記封止構成は、前記封止構成が前記第２の位置にあるとき、かつ前記ロック機構が前記ロック位置にあるとき、前記ロック機構に係合するように構成されたロックインターフェースを含み、また前記ロック機構は、前記封止構成が前記第２の位置にあるとき、かつ前記ロック機構が前記ロック解除位置にあるとき、前記ロックインターフェースから係合が解除される、シリンジアダプタ。
【請求項２】
前記ロック機構は、第１の端部および第２の端部を有し、また前記ロック機構が前記ロック解除位置にあるとき、前記ロック機構の前記第１の端部は、前記ハウジングから突き出し、また前記ロック機構の前記第２の端部は、前記ハウジング内に収容される請求項１に記載のシリンジアダプタ。
【請求項３】
前記ロック機構が前記ロック位置にあるとき、前記ロック機構の前記第１の端部は、前記ハウジング内に収容され、また前記ロック機構の前記第２の端部は、前記ハウジングから突き出る請求項２に記載のシリンジアダプタ。
【請求項４】
前記ロック機構の前記第２の端部はインジケータを含む請求項３に記載のシリンジアダプタ。
【請求項５】
前記ロック機構の前記第１の端部は、第１の色を備え、また前記ロック機構の前記第２の端部は、第２の色を備え、前記第１の色は、前記第２の色とは異なっている請求項３に記載のシリンジアダプタ。
【請求項６】
前記封止構成は、第１の端部および第２の端部を有するコレットを備え、前記コレットの少なくとも一部は、前記ハウジング内に収容され、前記コレットは、本体および前記本体に接続されるロック部材を備え、前記本体は、前記封止構成の前記薄膜を受け入れる通路を画定し、前記コレットは、前記ロック部材が、嵌合コネクタを受け入れるように開く第１の位置から、前記ロック部材の半径方向外側への移動が制限される第２の位置へと移動可能である請求項１に記載のシリンジアダプタ。
【請求項７】
前記ロック機構は、前記ロック位置と前記ロック解除位置の間を手動で移動可能である請求項１に記載のシリンジアダプタ。
【請求項８】
前記ロック機構は、第１の端部および第２の端部を有し、かつ前記コレットを受け入れるように構成された開口部を画定し、前記ロック機構がロック解除位置にあるとき、前記ロック機構の前記第１の端部が、前記ハウジングから突き出し、かつ前記ロック機構の前記第２の端部が、前記ハウジング内に収容され、また前記ロック機構が前記ロック位置にあるとき、前記ロック機構の前記第１の端部が前記ハウジング内に収容され、かつ前記ロック機構の前記第２の端部が前記ハウジングから突き出す請求項６に記載のシリンジアダプタ。
【請求項９】
前記ロック機構は、前記ハウジングの横断開口部内に収容され、前記ロック機構は、前記ハウジングに係合する前記ロック機構の前記第１の端部および前記第２の端部の中間に位置する前記ロック機構の保持部分により、前記ハウジング内に保持される請求項８に記載のシリンジアダプタ。
【請求項１０】
液の閉じた移送を行うためのシステムであって、
シリンジアダプタであって、
第１の端部および第２の端部を有し、前記第１の端部が第１の容器に固定されるように構成されるハウジング、
第１の端部および第２の端部を有するカニューレであって、前記カニューレの前記第２の端部は、前記ハウジング内に位置する、カニューレ、
前記ハウジング内に位置し、前記ハウジング内で移動可能であり、かつ薄膜を備える封止構成、および
ロック解除位置とロック位置の間で移動可能なロック機構
を備えるシリンジアダプタと、
第２の構成要素であって、前記封止構成の前記薄膜に係合して、前記封止構成を、前記封止構成が前記第２の構成要素から係合が解除される第１の位置と、前記封止構成が前記第２の構成要素と係合する第２の位置との間で移動させるように構成された薄膜を備える、第２の構成要素と
を備え、
前記封止構成は、前記封止構成が前記第２の位置にあるとき、かつ前記ロック機構が前記ロック位置にあるとき、前記ロック機構に係合するように構成されたロックインターフェースを含み、また前記ロック機構は、前記封止構成が前記第２の位置にあるとき、かつ前記ロック機構が前記ロック解除位置にあるとき、前記ロックインターフェースから係合が解除される、システム。
【請求項１１】
前記ロック機構は、第１の端部および第２の端部を有し、また前記ロック機構が、前記ロック解除位置にあるとき、前記ロック機構の前記第１の端部は、前記ハウジングから突き出し、また前記ロック機構の前記第２の端部は、前記ハウジング内に収容される請求項１０に記載のシステム。
【請求項１２】
前記ロック機構が前記ロック位置にあるとき、前記ロック機構の前記第１の端部は、前記ハウジング内に収容され、また前記ロック機構の前記第２の端部は、前記ハウジングから突き出る請求項１１に記載のシステム。
【請求項１３】
前記封止構成は、第１の端部および第２の端部を有するコレットを備え、前記コレットの少なくとも一部は、前記ハウジング内に収容され、前記コレットは、本体および前記本体に接続されるロック部材を備え、前記本体は、前記封止構成の前記薄膜を受け入れる通路を画定し、前記コレットは、前記ロック部材が、前記第２の構成要素を受け入れるように開く第１の位置から、前記ロック部材の半径方向外側移動が制限される第２の位置へと移動可能である請求項１０に記載のシステム。
【請求項１４】
前記ロック機構は、前記ロック位置と前記ロック解除位置の間を手動で移動可能である請求項１０に記載のシステム。
【請求項１５】
前記ロック機構は、第１の端部および第２の端部を有し、かつ前記コレットを受け入れるように構成された開口部を画定し、前記ロック機構がロック解除位置にあるとき、前記ロック機構の前記第１の端部が、前記ハウジングから突き出し、かつ前記ロック機構の前記第２の端部が前記ハウジング内に収容され、また前記ロック機構が前記ロック位置にあるとき、前記ロック機構の前記第１の端部が前記ハウジング内に収容され、かつ前記ロック機構の前記第２の端部が前記ハウジングから突き出す請求項１３に記載のシステム。
【請求項１６】
前記ロック機構は、前記ハウジングの横断開口部内に収容され、前記ロック機構は、前記ハウジングに係合する前記ロック機構の前記第１の端部および前記第２の端部の中間に位置する前記ロック機構の保持部分により、前記ハウジング内に保持される請求項１５に記載のシステム。
【発明の詳細な説明】
【技術分野】
【０００１】
本開示は、一般に、液の閉じた移送を行うためのシステムに関する。より詳細には、本開示は、第１の容器から第２の容器への液移送中に、漏れ防止性の封止を提供するシステムに関する。
【背景技術】
【０００２】
関連出願の相互参照
本出願は、２０１７年１月１７日に出願された米国特許仮出願第６２／４４７，０５９号明細書に対する優先権を主張するものであり、その全体を参照により本明細書に組み込む。
【０００３】
健康管理提供者が、がん治療など、危険な薬物を水で戻す（reconstituting）、移動する、かつ投与することは、健康管理提供者をこれらの薬剤にさらす危険を生じ、また健康管理環境に重大な危険を与えるおそれがある。例えば、がん患者を治療する看護師は、化学療法薬物、およびそれらの有毒な作用にさらされる危険がある。意図せずに、化学療法にさらされることは、神経系に影響を与え、生殖系を損ない、かつ将来、血液がんを発症する危険を増加させる可能性がある。健康管理提供者が有毒な薬物にさらされる危険を低減するために、これらの薬物の閉じた移送が重要になる。
【０００４】
いくつかの薬物は、それらが投与される前に、溶かす、または希釈する必要があり、それは、針を用いて、１つの容器から溶剤を、粉末または液体の形態で薬剤を含んでいる封止されたバイアル（vial）へと移送することを含む。薬物は、針をバイアルから引き抜く間に、また針がバイアルの内側にある間に、バイアルの内側と周囲環境との間に何らかの圧力差が存在した場合、ガスの形態で、またはエーロゾル化（aerosolization）により、周囲環境の中に偶発的に放出される可能性がある。
【先行技術文献】
【特許文献】
【０００５】
【特許文献１】米国特許出願公開第２０１５／０２９７４５４号明細書
【発明の概要】
【課題を解決するための手段】
【０００６】
一態様では、シリンジアダプタは、第１の端部および第２の端部を有し、第１の端部が第１の容器に固定されるように構成されるハウジングと、第１の端部および第２の端部を有するカニューレであって、カニューレの第２の端部はハウジング内に位置する、カニューレと、ハウジング内に位置する封止構成であって、封止構成が嵌合コネクタから係合が解除される第１の位置と、封止構成が嵌合コネクタと係合する第２の位置との間をハウジング内で移動可能であり、薄膜（membrane）を備える、封止構成とを含む。シリンジアダプタは、ロック解除位置とロック位置の間で移動可能なロック機構を含み、封止構成は、封止構成が第２の位置にあるとき、かつロック機構がロック位置にあるとき、ロック機構に係合するように構成されたロックインターフェースを含み、またロック機構は、封止構成が第２の位置にあるとき、かつロック機構がロック解除位置にあるとき、ロックインターフェースから係合が解除される。
【０００７】
ロック機構は、第１の端部および第２の端部を有することができ、ロック機構がロック解除位置にあるとき、ロック機構の第１の端部は、ハウジングから突き出し、またロック機構の第２の端部は、ハウジング内に収容される。ロック機構がロック位置にあるとき、ロック機構の第１の端部は、ハウジング内に収容され、ロック機構の第２の端部はハウジングから突き出る。ロック機構の第２の端部は、インジケータを含むことができる。封止構成は、第１の端部および第２の端部を有するコレット（collet）とすることができ、コレットの少なくとも一部がハウジング内に収容される。コレットは、本体と、本体に接続されるロック部材とを含むことができ、本体は、封止構成の薄膜を受け入れる通路を画定する。コレットは、ロック部材が、嵌合コネクタを受け入れるように開く第１の位置から、ロック部材の半径方向外側への移動が制限される第２の位置へと移動可能である。
【０００８】
ロック機構の第１の端部は、第１の色を含むことができ、またロック機構の第２の端部は、第２の色を含むことができ、第１の色は、第２の色とは異なる。ロック機構は、手動で、ロック位置とロック解除位置の間で移動させることができる。ロック機構は、第１の端部および第２の端部を有し、かつコレットを受け入れるように構成された開口部を画定することができ、ロック機構がロック解除位置にあるときは、ロック機構の第１の端部がハウジングから突き出し、かつロック機構の第２の端部がハウジング内に収容され、ロック機構がロック位置にあるときは、ロック機構の第１の端部がハウジング内に収容され、かつロック機構の第２の端部がハウジングから突き出る。ロック機構は、ハウジングの横断開口部内に収容することができ、ロック機構は、ハウジングに係合するロック機構の第１の端部および第２の端部の中間に位置するロック機構の保持部分により、ハウジング内に保持される。
【０００９】
さらなる態様では、液の閉じた移送のためのシステムは、第１の端部および第２の端部を有し、第１の端部が第１の容器に固定されるように構成されるハウジングと、第１の端部および第２の端部を有するカニューレであって、カニューレの第２の端部がハウジング内に位置する、カニューレと、ハウジング内に位置する封止構成であって、ハウジング内で移動可能であり、かつ薄膜を含む、封止構成とを含むシリンジアダプタを含む。シリンジアダプタは、ロック解除位置とロック位置の間で移動可能なロック機構を含む。システムは、第２の構成要素であって、封止構成の薄膜に係合して、封止構成を、封止構成が第２の構成要素から係合が解除される第１の位置と、封止構成が第２の構成要素と係合する第２の位置との間で移動するように構成された薄膜を含む、第２の構成要素を含む。封止構成は、封止構成が第２の位置にあるとき、かつロック機構がロック位置にあるとき、ロック機構に係合するように構成されたロックインターフェースを含み、ロック機構は、封止構成が第２の位置にあるとき、かつロック機構がロック解除位置にあるとき、ロックインターフェースから係合が解除される。
【図面の簡単な説明】
【００１０】
添付図面と併せて、本開示の諸態様の以下の記述を参照することによって、本開示の前述の、かつ他の特徴および利点、ならびにそれらを達成する方法が、さらに明らかとなり、本開示それ自体もよく理解されよう。
【００１１】
【図１】本発明の一態様によるシリンジアダプタの横断面図である。
【図２】本発明の一態様によるシリンジアダプタの横断面図である。
【図３】本発明の一態様によるコレットの斜視図である。
【図４】図３のコレットの横断面図である。
【図５】本発明の一態様による、液の閉じた移送を行うためのシステムの正面図である。
【図６】図５のシステムの横断面図である。
【図７Ａ】本発明の一態様による第１の薄膜の正面図である。
【図７Ｂ】図７Ａの第１の薄膜の横断面図である。
【図８Ａ】本発明の一態様による第１の薄膜の正面図である。
【図８Ｂ】図８Ａの第１の薄膜の横断面図である。
【図９Ａ】本発明の一態様による第１の薄膜の正面図である。
【図９Ｂ】図９Ａの第１の薄膜の横断面図である。
【図１０Ａ】本発明の一態様による第１の薄膜の正面図である。
【図１０Ｂ】図１０Ａの第１の薄膜の横断面図である。
【図１１Ａ】本発明の一態様による第１の薄膜の正面図である。
【図１１Ｂ】図１１Ａの第１の薄膜の横断面図である。
【図１２Ａ】本発明の一態様による第１の薄膜の正面図である。
【図１２Ｂ】図１２Ａの第１の薄膜の横断面図である。
【図１３Ａ】本発明の一態様による第１の薄膜の正面図である。
【図１３Ｂ】図１３Ａの第１の薄膜の横断面図である。
【図１４Ａ】本発明の一態様による第２の薄膜の正面図である。
【図１４Ｂ】図１４Ａの第２の薄膜の横断面図である。
【図１５Ａ】本発明の一態様による第２の薄膜の正面図である。
【図１５Ｂ】図１５Ａの第２の薄膜の横断面図である。
【図１６Ａ】本発明の一態様による第２の薄膜の正面図である。
【図１６Ｂ】図１６Ａの第２の薄膜の横断面図である。
【図１７Ａ】本発明の一態様による第２の薄膜の正面図である。
【図１７Ｂ】図１７Ａの第２の薄膜の横断面図である。
【図１８Ａ】本発明の一態様による第２の薄膜の正面図である。
【図１８Ｂ】図１８Ａの第２の薄膜の横断面図である。
【図１９Ａ】本発明の一態様による第２の薄膜の正面図である。
【図１９Ｂ】図１９Ａの第２の薄膜の横断面図である。
【図２０】本発明の一態様による液の閉じた移送を行うためのシステムの正面図である。
【図２１】図２０で示されたシステムの横断面図である。
【図２２】本発明の一態様によるシリンジアダプタの横断面図である。
【図２３】本発明の一態様によるシリンジアダプタの横断面図である。
【図２４】本発明の一態様によるシリンジアダプタの正面図である。
【図２５】本発明の一態様による液の閉じた移送を行うためのシステムの正面図である。
【図２６】図２５のシステムの横断面図である。
【図２７】シリンジアダプタに固定された患者コネクタを示す、図２５のシステムの横断面図である。
【図２８】本発明の一態様による図２５の患者コネクタの上面図である。
【図２９】シリンジアダプタに固定された患者コネクタを示す、図２５のシステムの拡大された横断面図である。
【図３０】本発明の一態様による液の閉じた移送を行うためのシステムの斜視図である。
【図３１】図３０のシステムの横断面図である。
【図３２】ロック機構がロック解除位置にある、シリンジアダプタに固定された患者コネクタを示す図３０のシステムの横断面図である。
【図３３】ロック機構がロック位置にある、シリンジアダプタに固定された患者コネクタを示す図３０のシステムの斜視図である。
【図３４】ロック機構がロック位置にある、シリンジアダプタに固定された患者コネクタを示す図３０のシステムの横断面図である。
【図３５】本発明の一態様による図３０のシステムの分解された斜視図である。
【００１２】
対応する参照文字は、いくつかの図を通して対応する部分を示す。本明細書に記載される例示は、本開示の例示的な諸態様を示すものであり、このような例示は、どんな意味においても、本開示の範囲を限定するものと解釈されるべきではない。
【発明を実施するための形態】
【００１３】
以下の記述は、本発明を実施するように企図された、述べられる諸態様を当業者が製作し、使用できるようにするために提供される。しかし、様々な修正、均等な形態、変形、および代替形態は、当業者には容易に明らかになろう。このような修正、変形、均等な形態、および代替形態のいずれか、かつすべてのものは、本発明の趣旨および範囲に含まれるように意図される。
【００１４】
以降の記述において、用語「上方」、「下方」、「右」、「左」、「垂直」、「水平」、「上部」、「底部」、「横方向」、「長手方向（longitudinal）」、およびそれらの派生語は、本発明が描かれた図で方向付けられていることに関するものである。しかし、本発明は、その反対のことが明示的に指定される場合を除いて、様々な代替的変形形態を取り得ることを理解されたい。添付図面で示され、かつ以下の明細書で述べられる特定のデバイスは、本発明の単に例示的な実施形態に過ぎないことをも理解されたい。したがって、本明細書で開示される態様に関する特定の寸法、および他の物理的な特性は、限定するものと見なされるべきではない。
【００１５】
図１を参照すると、本発明の一態様によるシリンジアダプタ１２が示されている。シリンジアダプタ１２は、液の閉じた移送を行うためのシステムの一構成要素である。特に、シリンジアダプタ１２は、シリンジ（図示せず）を別の医療用デバイス、または液容器に接続するように構成される。医療用デバイスは、例えば、例えば、患者ライン、バイアルアダプタ、液容器、または輸液アダプタとすることができる。他の例では、容器は、医療用バイアル、シリンジ筒、ＩＶバッグ、または患者に投与される液を保持するための同様の容器とすることができる。シリンジアダプタ１２は、シリンジと、医療用デバイスまたは液容器の間で液の閉じた移送を容易にするために使用することができる。シリンジアダプタ１２は、その全体を参照により本明細書に組み込む特許文献１で示され、かつ述べられたシリンジアダプタと同様のものであり、かつ同様に動作する。
【００１６】
図１を再度参照すると、シリンジアダプタ１２は、第１の端部１８および第２の端部２０を有し、かつ内部空間２２を画定するハウジング１６を含む。シリンジアダプタ１２のハウジング１６の第１の端部１８は、通路２６を画定する、メスのルアーコネクタなどのシリンジ取付け部２４を含む。シリンジ（図示せず）の対応するオスのルアーコネクタと接続するためのメスのルアーコネクタが示されているが、シリンジ、容器、または任意の他の医療デバイスに接続するために、他の適切な接続構成を利用することができる。遠位端３０を有するカニューレ２８は、シリンジ取付け部２４に固定され、かつシリンジ取付け部２４の通路２６と流体連通状態にある。シリンジアダプタ１２は、シリンジアダプタ１２のハウジング１６内に配置された封止構成をさらに含む。封止構成は、第１の薄膜３４を収容するコレット３２を含む。コレット３２は、以下でより詳細に論ずるように、シリンジアダプタ１２のハウジング１６の内部空間２２内を移動するように構成される。シリンジアダプタ１２のハウジング１６は、ユーザによるシリンジアダプタ１２の把持を高めるための構造を含むことができる。さらなる、または代替の把持構造および表面は、シリンジアダプタ１２の本体をユーザが把持するのを助けるように設けることができる。
【００１７】
シリンジアダプタ１２は、シリンジアダプタ１２のハウジング１６内の横断開口部４０内に収容されるロック部材３８を含む、シリンジアダプタ１２のハウジング１６の第１の端部１８および第２の端部２０の中間に位置する第１の接続インターフェース３６を含む。ロック部材３８は、閉じた位置と開口位置の間で移動するように構成される。ロック部材３８は、シリンジアダプタ１２の長手方向（longitudinal）に延びる片持ち梁状ばね４６をさらに含む。ロック部材３８は、シリンジアダプタ１２のハウジング１６から半径方向外側に延びるカム面に係合するように構成される。特に、ロック部材３８は、閉じた位置で提供されるように構成され、ロック部材３８の中心開口部に隣接するロック部材３８の一部は、外力がロック部材３８に加えられていないとき、シリンジアダプタ１２の内部空間２２内に位置する。ロック部材３８の中心開口部が、シリンジアダプタ１２の内部空間２２と位置合せされる開口位置、または内部空間２２の中に挿入された物体に対して、干渉または障壁を生成しない開口位置へと、ロック部材３８が移動したとき、片持ち梁状ばね４６が、カム面と係合して、ロック部材３８を閉じた位置へと戻すように強制する付勢力を生成する。したがって、ロック部材３８が開口位置へと移動したとき、ロック部材３８に対して作用する外力が解放されると、ロック部材３８は閉じた位置へと強制されて戻ることになる。ロック部材３８が、片持ち梁状ばね４６を備えて示されているが、これだけに限らないが、圧縮ばね、引張ばね、弾性材料などを含む任意の他の適切な付勢部材を提供することもできる。
【００１８】
図１および図３を参照すると、コレット３２は、第１の端部５４および第２の端部５６を備える本体５２を有する。本体５２は、本体５２を貫通する通路５８を画定する。本体５２は、全体的に円筒形をしているが、他の適切な形状のコレットを利用することもできる。コレット３２は、コレット３２の本体５２に接続されるロック部材６０をさらに含む。コレット３２は、ロック部材６０が患者コネクタなどの嵌合コネクタを受け入れるように開いている第１の位置から、ロック部材６０の半径方向外側への移動が制限される第２の位置へと移動可能である。ロック部材６０は、複数のアーム６２を介して本体５２に接続される。ロック部材６０は、複数のアーム６２を介して本体５２にロック部材６０を接続した結果、弧状のものであり、弾性を有している。より具体的には、複数のアーム６２は、可撓性を有しており、ロック部材６０を半径方向外側に、または半径方向内側に広げることができる。一態様では、ロック部材６０は、患者コネクタなどの嵌合コネクタが、ロック部材６０の中に挿入されたとき、半径方向外側に広がり、その後に、コレット３２が第１の位置から第２の位置に移行したとき半径方向内側に移動するように構成される。あるいは、ロック部材６０は、嵌合コネクタがロック部材６０の中に挿入されたとき、半径方向内側または外側に移動せず、その後に、コレット３２が、第１の位置から第２の位置に移行したとき、半径方向内側に移動することができる。シリンジアダプタ１２のハウジング１６の第２の端部２０は、内部空間２２に隣接する環状凹部６４を画定し、コレット３２が第１の位置にあるとき、ロック部材６０を受け入れる。ハウジング１６の環状凹部６４は、ロック部材６０が半径方向外側に広がる空間を提供する。コレット３２が、第１の位置から第２の位置へと移行したとき、コレット３２は、シリンジアダプタ１２の第１の端部１８の方向に軸方向に移動し、ロック部材６０は、シリンジアダプタ１２のハウジング１６とロック部材６０が係合することにより、半径方向内側に偏向される。
【００１９】
図３で示されるように、コレット３２のロック部材６０は、コレット３２の長手方向軸（longitudinal axis）に直角な方向に延びる１対の開口部６６を画定する。開口部６６は、ロック部材６０を、２つのアーム６２によってコレット３２の本体５２にそれぞれが接続される２つの弧状部分へと分岐させる。しかし、コレット３２およびロック部材６０に対する他の適切な構成および形状を利用することもできる。コレット３２のロック部材６０は、複数のアーム６２に対して、半径方向内側および半径方向外側に突き出ている。
【００２０】
図１および図３を再度参照すると、コレット３２の本体５２は、シリンジアダプタ１２の第１の接続インターフェース３６と嵌合し、かつロックするように構成された第２の接続インターフェース７０を含む。第２の接続インターフェース７０は、コレット３２の本体５２によって画定される。コレット３２の第１の端部５４は、第１の接続インターフェース３６のロック部材３８が開口位置にあるとき、シリンジアダプタ１２の内部空間２２内に収容され、またロック部材３８が閉じた位置にあるとき、シリンジアダプタ１２の内部空間２２内での移動が制限されるように構成される。第２の接続インターフェース７０が、第１の接続インターフェース３６に完全に嵌合したとき、第１の接続インターフェース３６のロック部材３８は、第１の接続インターフェース３６が第２の接続インターフェース７０に対して長手方向（longitudinal）および横断方向（transverse）移動しないようにロックする閉じた位置にあるように構成されるが、なお、それ対する回転運動は可能である。
【００２１】
図１を参照すると、コレット３２の本体５２の通路５８は、第１の座ぐり穴６８と、第１の座ぐり穴６８の反対側に位置する第２の座ぐり穴７４と、第１の座ぐり穴６８と第２の座ぐり穴７４の間に位置する中間部分７６とを含む。
【００２２】
図３を参照すると、コレット３２の本体はまた、第１の端部５４と第２の端部５６の中間に位置する複数のリブ７８を含む。リブ７８は長手方向（longitudinal）に延びているが、他の適切な構成を利用することもできる。複数の凹部８０は、隣接するリブ７８の間に位置する。
【００２３】
図２〜図６を参照すると、本発明の一態様では、コレット３２の本体の通路５８は、第１の薄膜３４の部分を圧縮するように構成された狭い部分７９を含む。一態様では、コレット３２の本体５２の通路５８の中間部分７６は、狭い部分７９を含む。通路５８の狭い部分７９は、通路５８の中間部分７６の残りの部分よりも小さな直径を有する。
【００２４】
図２および図６を参照すると、第１の薄膜３４は、第１の端部８４および第２の端部８６を有する本体８２を含む。第１の薄膜３４の本体８２の第１の端部８４および第２の端部８６は、それぞれ、第１のヘッド部分８８および第２のヘッド部分９０を含む。第１の薄膜３４の本体８２は、本体８２の第２の端部８６の方向に、第１の端部８４から延びる通路９２を画定する。通路９２は、本体８２の第１の端部８４と第２の端部８６の中間の位置で終了する。第１の薄膜３４の本体８２はまた、第１の端部８４と第２の端部８６の中間に位置する環状の窪んだ部分８７を画定する。第１の薄膜３４の本体８２は、コレット３２の通路５８により収容され、コレット３２に固定される。第１の薄膜３４の第１のヘッド部分８８は、コレット３２の第１の座ぐり穴６８に係合する。第２のヘッド部分９０は、コレット３２の本体５２の通路５８を越えて延び、第２のヘッド部分９０は、コレット３２の本体５２に係合する。第１の部材３４の環状の窪んだ部分８７は、コレット３２の中間部分７６により収容され、狭い部分７９が、第１の部材３４の環状の窪んだ部分８７に係合し、かつ圧縮する。
【００２５】
第２のヘッド部分９０は、凸形面を画定するが、以下でより詳細に論ずるように、他の適切な薄膜構成を提供することもできる。カニューレ２８は、第１の薄膜３４の通路９２内に収容され、カニューレ２８の遠位端３０は、コレット３２が第１の位置にあるとき、通路９２内に位置する。カニューレ２８の遠位端３０は、コレット３２が、第１の位置から第２の位置に移行したとき、第１の薄膜３４を穿孔し、第１の薄膜３４を貫通して延びるように構成される。第１の薄膜３４は、シリンジアダプタ１２の使用中に、カニューレ２８の中間部分に係合して封止し、嵌合構成要素との封止された、漏れのない接続を維持するように構成される。
【００２６】
使用中に、患者コネクタ９６、バイアルアダプタ、またはＩＶバッグスパイクからの第２の薄膜９４など、対応する薄膜によって第１の薄膜３４が係合されると、コレット３２は、シリンジアダプタ１２の第１の端部１８の方向に移動し、かつ第１の位置から第２の位置へと移行するように構成され、したがって、カニューレ２８の遠位端３０が、第１の薄膜３４を穿孔して、シリンジアダプタ１２を、シリンジアダプタ１２に固定された対応するデバイスと流体連通状態になるようにする。コレット３２が、第１の位置に戻ったとき、第１の薄膜３４は、対応する薄膜から係合が解除され、それにより、カニューレ２８の遠位端３０を、コレット３２および第１の薄膜３４の通路５８、通路９２内に配置する。このような構成は、カニューレ２８の遠位端３０を遮蔽して、偶発的な針の穿刺を阻止し、またシリンジアダプタ１２を用いたとき、液の移送中に何らかの液漏れを阻止する。
【００２７】
図５および図６を参照すると、患者コネクタ９６は、第１の端部１０４および第２の端部１０６を有し、かつそれを貫通して延びる通路１０８を画定する本体１０２を含む。患者コネクタ９６の第１の端部１０４はまた、コレットインターフェース１１０を含む。コレットインターフェース１１０は、患者コネクタ９６の本体１０２の第１の端部１０４に対して窪んだ、患者コネクタ９６の本体１０２の一部により画定される。患者コネクタ９６の本体１０２の第１の端部１０４はまた、第２の薄膜９４を収容する薄膜座面１１２を含む。シリンジアダプタ１２に関連して上記で論じたように、患者コネクタ９６の第２の薄膜９４は、シリンジアダプタ１２の第１の薄膜３４と係合して、液の移送中に、シリンジアダプタ１２との実質的に漏れのない接続を提供するように構成される。患者コネクタ９６の第２の端部１０６は、オスのルアーコネクタなど、ＩＶライン取付け部を含むが、任意の他の適切な接続構成も利用することができる。
【００２８】
上記で論じたように、図２および図６を参照すると、コレット３２の本体５２の通路の狭い部分７９は、第１の薄膜３４を圧縮する。特に狭い部分７９は、第１の薄膜３４の環状の窪んだ部分８９を圧縮する。シリンジアダプタ１０の使用中に、第１の薄膜３４に作用する逆圧は、第１の薄膜３４をコレット３２から外す可能性もある。狭い部分７９は、コレット３２と第１の薄膜３４の間にさらなる圧縮を加えることにより、逆圧抵抗機構として働く。
【００２９】
図７Ａ〜図１３Ｂを参照すると、第１の薄膜３４のさらなる態様が示されている。特に、様々な形状、構成、および空洞部が、第１の薄膜３４に対して利用されることができる。図７Ａ〜図１３Ｂで示される幾何形状は、二次的な組立工程、または多部品ハウジングを必要とすることなく、嵌合構成要素へと押し込まれ、または引っ張られ、保持されることができる。第１の薄膜の通路９２は、様々な形状、長さ、幅、および構成を含むことができる。さらに図１２〜図１３Ｂで示されるように、第１の薄膜３４の第１の端部８４は、ヘッド部分または半径方向突起部を含まないことも可能である。
【００３０】
図１４Ａ〜図１９Ｂを参照すると、第２の薄膜９４のさらなる態様が示されている。特に、様々な形状および構成が、第２の薄膜９４に対して利用され得る。図１７Ａおよび図１７Ｂで示されるように、第２の薄膜９４は、環状凹部９８を含むことができる。
【００３１】
図２１〜図２４を参照すると、本発明のさらなる態様による、シリンジアダプタ１２０および患者コネクタ１２２が示されている。シリンジアダプタ１２０は、図１で示されたシリンジアダプタ１２と同様のもので有り、同様に動作する。しかし図２１〜図２４のシリンジアダプタ１２０および患者コネクタ１２２は、異なる接続構成を含む。特に、第１の接続インターフェース３６および第２の接続インターフェース７０を設けるのではなく、患者コネクタ１２２は、偏倚部材１２６、および偏倚部材１２６上に位置する係合部材１２８を有するロック機構１２４を含む。係合部材１２８は、患者コネクタ１２２がシリンジアダプタ１２０により収容されたとき、シリンジアダプタ１２０のハウジング１６の一部に係合して、患者コネクタ１２２をシリンジアダプタ１２０に固定するように構成される。ロック機構１２４は、患者コネクタ１２２に関して示されているが、ロック機構１２４は、これだけに限らないが、バイアルアダプタ、輸液アダプタなどを含む、液の閉じた移送を行うためのシステムの任意の適切な構成要素に対して提供されることができる。
【００３２】
ロック機構１２４の偏倚部材１２６は、片持ち梁状アームであるが、他の適切な偏倚構成を利用することもできる。係合部材１２８は、患者コネクタ１２２から半径方向外側に延びる突起部であるが、他の適切な突起部を利用することもできる。係合部材１２８は、患者コネクタ１２２をシリンジアダプタ１２０に挿入する間に、シリンジアダプタ１２０のハウジング１６の一部に係合して、係合部材１２８を、片持ち梁状アームにより半径方向内側に偏倚させるように構成される。係合部材１２８はまた、患者コネクタ１２２が、シリンジアダプタ１２０の中に完全に挿入されて、患者コネクタ１２２をシリンジアダプタ１２０に固定したとき、非偏倚位置へと戻るように構成される。したがって患者コネクタ１２２をシリンジアダプタ１２０のハウジング１６の中に挿入すると、偏倚部材１２６は、係合部材１２８がシリンジアダプタ１２０のハウジング１６と係合することにより、半径方向内側に偏向される。完全に挿入された後、偏倚部材１２６は非偏倚位置へと戻り、係合部材１２８は、シリンジアダプタ１２０内に患者コネクタ１２２を保持し、コレット３２は、患者コネクタ１２２のコレットインターフェース１１０と係合する。患者コネクタ１２２を取り外すために、ユーザは、シリンジアダプタ１２０から離れる方向に患者コネクタ１２２に軸方向力を加え、したがって、係合部材１２８が、シリンジアダプタ１２０のハウジング１６を越えて軸方向に移動するまで、偏倚部材１２６は、シリンジアダプタ１２０のハウジング１６との係合部材１２８の係合によって再度、半径方向内側に偏向される。コレット３２はまた、シリンジアダプタ１２に関して上記で論じたのと同様な方法で、患者コネクタ１２２から解放されることになる。
【００３３】
図２１および図２３を参照すると、シリンジアダプタ１２０はまた、コレット３２をシリンジアダプタ１２０の第２の端部２０の方向に付勢して、コレット３２を第１の位置に維持するように構成されたコレット駆動部材１３２を含むことができる。シリンジアダプタ１２０は、シリンジアダプタ１２に関連して上記で論じたものと同様に動作するが、コレット駆動部材１３２は、シリンジアダプタ１２０を、患者コネクタ１２２などの嵌合コネクタに嵌め合わせたとき、第１の位置から第２の位置へとコレット３２を移動させるために、ユーザが、コレット駆動部材１３２の付勢力に打ち勝つ必要がある。コレット駆動部材１３２は、ばねとすることができるが、他の適切な付勢構成を利用することもできる。さらに、図２１〜図２３で示されるように、コレット３２は、第１の座ぐり穴６８を含まなくてもよく、コレットの第１の端部５４は、平坦な面１３４を画定する。
【００３４】
図２５〜図２９を参照すると、本発明のさらなる態様によるシリンジアダプタ１５０および患者コネクタ１５２が示されている。シリンジアダプタ１５０は、図１で示されたシリンジアダプタ１２と同様のものであり、同様に動作する。しかし、図２５〜図２９のシリンジアダプタ１５０および患者コネクタ１５２は、異なる接続構成を含む。特に、第１の接続インターフェース３６および第２の接続インターフェース７０を設けるのではなく、患者コネクタ１５２は、接続部材１５４を含む。接続部材１５４は、患者コネクタ１５２が、シリンジアダプタ１５０により収容されたとき、シリンジアダプタ１５０のハウジング１６の一部に係合して、患者コネクタ１５２をシリンジアダプタ１５０に固定するように構成される。接続部材１５４は、患者コネクタ１５２と共に示されているが、接続部材１５４は、これだけに限らないが、バイアルアダプタ、輸液アダプタなどを含む液の閉じた移送を行うためのシステムの任意の適切な構成要素上に設けることができる。
【００３５】
接続部材１５４は、患者コネクタ１５２から半径方向外側に延びる突起部である。接続部材１５４は、患者コネクタ１５２が、シリンジアダプタ１５０により収容されたとき、シリンジアダプタ１５０のハウジング１６の窪んだ部分１５６に収容されて、患者コネクタ１５２をシリンジアダプタ１５０に固定する。接続部材１５４は、半球形のものであるが、他の適切な形状および構成を利用することもできる。図２８で示されるように、３つの等間隔に離れた接続部材１５４が、患者コネクタ１５２上に設けられているが、１つまたは複数の接続部材１５４を設けることもできる。患者コネクタ１５２をシリンジアダプタ１５０のハウジング１６の中に挿入すると、シリンジアダプタ１２に関連して上記で述べたように、患者コネクタ１５２の第２の薄膜９４が、コレット３２の第１の薄膜３４に係合して、コレット３２を第２の位置へと移動する。しかし、図２７および図２９で示されるように、コレット３２が第２の位置へと移行したとき、接続部材１５４は、シリンジアダプタ１５０のハウジング１６に係合し、ハウジング１６の窪んだ部分１５６内に収容されて、患者コネクタ１５２をシリンジアダプタ１５０にさらに固定する。患者コネクタ１５２を取り外すために、ユーザは、シリンジアダプタ１５０から離れる方向に、患者コネクタ１５２に対して軸方向力を加え、したがって、接続部材１５４は、シリンジアダプタ１５０のハウジング１６の窪んだ部分１５６からパチンと外れる。コレット３２はまた、上記で論じたのと同様に、患者コネクタ１５２から解放されることになる。
【００３６】
図３０〜図３５を参照すると、本発明のさらなる態様によるシリンジアダプタ１７０および患者コネクタ１７２が示されている。シリンジアダプタ１７０は、図１で示されるシリンジアダプタ１２と同様のものであり、同様に動作する。しかし、図２５〜図２９のシリンジアダプタ１７０は、異なる接続構成を含む。シリンジアダプタ１７０は、ロック解除位置（図３１および図３２で示される）と、ロック位置（図３３および図３４で示される）の間で移動可能なロック機構１７４を含む。コレット３２は、コレット３２が第２の位置にあるとき、かつロック機構１７４がロック位置にあるとき、ロック機構１７４に係合するように構成されたロックインターフェース１７４を含む。ロック機構１７４は、コレット３２が第２の位置にあるとき、かつロック機構１７４がロック解除位置にあるとき、ロックインターフェース１７６から係合が解除される。ロック機構１７４は、ユーザにより、ロック位置とロック解除位置の間を手動で移動することができるが、他の適切な構成を利用することもできる。
【００３７】
ロック機構１７４は、第１の端部１７８および第２の端部１８０を有し、かつコレット３２を受け入れるように構成された開口部１８２を画定する。ロック機構１７４が、ロック解除位置にあるとき、ロック機構１７４の第１の端部１７８が、ハウジング１６から突き出し、かつロック機構１７４の第２の端部１８０が、ハウジング１６内に収容される。ロック機構１７４がロック位置にあるとき、ロック機構１７４の第１の端部１７８は、ハウジング１６内に収容され、かつロック機構１７４の第２の端部１８０は、ハウジング１６から突き出す。ロック機構の第２の端部１８０は、インジケータ１８４を含む。インジケータ１８４は、ロック機構１７４の残りの部分とは異なる、ロック機構１７４の着色部分とすることができる。着色部分は、赤などの主要な色とすることができる。ロック機構１７４は、シリンジアダプタ１７０のハウジング１６の横断開口部４０内に収容されて、ハウジング１６に係合するロック機構１７４の第１の端部１７８および第２の端部１８０の中間に位置するロック機構１７４の保持部分１８６により、ハウジング１６内に保持される。
【００３８】
図３２で示されるように、患者コネクタ１７２がシリンジアダプタ１７０内に収容されて、コレット３２を第２の位置に移動させたとき、コレット３２は、ロック機構１７４の開口部１８２により受け入れられる。コレット３２および患者コネクタ１７２を第２の位置に維持するために、ロック機構１７４は、ロック位置へと移行し、したがって、ロック機構１７４は、コレット３２のロックインターフェース１７６に係合し、インジケータ１８４は、シリンジアダプタ１７０のロック状態の指示を提供する。
【００３９】
本開示は、例示的な設計を有するものとして述べられてきたが、本開示は、本開示の趣旨および範囲内で、さらに修正されることができる。本出願は、したがって、その一般的な原理を用いる任意の変形、使用、または適合を含むように意図される。さらに本出願は、本開示が属する技術分野で知られたやり方、または慣行に含まれるものとして、かつ添付の特許請求の範囲の制限に含まれるものとして、本開示からのこのような逸脱を包含するように意図される。
【図１】
2020503980.tif 000003
【図２】
2020503980.tif 000004
【図３】
2020503980.tif 000005
【図４】
2020503980.tif 000006
【図５】
2020503980.tif 000007
【図６】
2020503980.tif 000008
【図７Ａ】
2020503980.tif 000009
【図７Ｂ】
2020503980.tif 000010
【図８Ａ】
2020503980.tif 000011
【図８Ｂ】
2020503980.tif 000012
【図９Ａ】
2020503980.tif 000013
【図９Ｂ】
2020503980.tif 000014
【図１０Ａ】
2020503980.tif 000015
【図１０Ｂ】
2020503980.tif 000016
【図１１Ａ】
2020503980.tif 000017
【図１１Ｂ】
2020503980.tif 000018
【図１２Ａ】
2020503980.tif 000019
【図１２Ｂ】
2020503980.tif 000020
【図１３Ａ】
2020503980.tif 000021
【図１３Ｂ】
2020503980.tif 000022
【図１４Ａ】
2020503980.tif 000023
【図１４Ｂ】
2020503980.tif 000024
【図１５Ａ】
2020503980.tif 000025
【図１５Ｂ】
2020503980.tif 000026
【図１６Ａ】
2020503980.tif 000027
【図１６Ｂ】
2020503980.tif 000028
【図１７Ａ】
2020503980.tif 000029
【図１７Ｂ】
2020503980.tif 000030
【図１８Ａ】
2020503980.tif 000031
【図１８Ｂ】
2020503980.tif 000032
【図１９Ａ】
2020503980.tif 000033
【図１９Ｂ】
2020503980.tif 000034
【図２０】
2020503980.tif 000035
【図２１】
2020503980.tif 000036
【図２２】
2020503980.tif 000037
【図２３】
2020503980.tif 000038
【図２４】
2020503980.tif 000039
【図２５】
2020503980.tif 000040
【図２６】
2020503980.tif 000041
【図２７】
2020503980.tif 000042
【図２８】
2020503980.tif 000043
【図２９】
2020503980.tif 000044
【図３０】
2020503980.tif 000045
【図３１】
2020503980.tif 000046
【図３２】
2020503980.tif 000047
【図３３】
2020503980.tif 000048
【図３４】
2020503980.tif 000049
【図３５】
2020503980.tif 000050
【国際調査報告】
2020503980.tif 000051
2020503980.tif 000052